(57)【要約】 【課題】従来よりも再生が利便性の面から満足のいくものである吸着剤の再生装置を提供しようとするもの。 【解決手段】吸着剤を再生するため賦活槽(1)を有し、前記賦活槽(1)に送る熱風を循環するようにし、前記賦活槽(1)を回転して吸着剤を後方へと移送すると共に、支持体(6)と賦活槽(1)との回転係合域(7)の径を前記賦活槽(1)の外周径に対して絞ったことを特徴とする。吸着剤を再生するため賦活槽を有し、前記賦活槽に送る熱風を循環するようにしたので、エネルギー効率が向上することとなる。【選択図】図１
2018008245.tif 000002
【特許請求の範囲】
【請求項１】
吸着剤を再生するため賦活槽(1)を有し、前記賦活槽(1)に送る熱風を循環するようにし、前記賦活槽(1)を回転して吸着剤を後方へと移送すると共に、支持体(6)と賦活槽(1)との回転係合域(7)の径を前記賦活槽(1)の外周径に対して絞ったことを特徴とする吸着剤の再生装置。
【請求項２】
前記賦活槽(1)内を加圧傾向にするようにした請求項１記載の吸着剤の再生装置。
【請求項３】
前記吸着剤の含水分から蒸発した蒸気により賦活するようにした請求項１又は２記載の吸着剤の再生装置。
【発明の詳細な説明】
【技術分野】
【０００１】
この発明は、工場排水やプール水その他の各種の水を浄化する吸着剤の再生装置に関するものである。 
【背景技術】
【０００２】
従来、下水、下水処理水、各種産業排水、湖沼水、河川水など、種々のＣＯＤ含有排水が含有するＣＯＤ成分を高度に除去する新規処理方法に関する提案があった（特許文献１）。 
すなわち、ＣＯＤを除去するための従来の最も代表的な除去技術は、凝集沈殿法である。この技術は、原水に硫酸アルミニウム、ＰＡＣ、塩化第２鉄、硫酸第２鉄、ポリ硫酸第２鉄などの無機凝集剤を添加して攪拌し、ＣＯＤを取り込んだフロックを形成させたのちフロックを沈殿させ、浄化処理水を得る技術である。無機凝集剤を添加して凝集フロックを形成させた後、フロックを分離する凝集沈殿などの凝集分離法は、簡単な装置、操作でＣＯＤが効果的に除去できることが特徴である。  しかし、大量の難脱水性凝集分離汚泥が発生し、その処理処分が非常に面倒であるという重大な欠点がある。一方、ＣＯＤを高度に除去する場合は、凝集沈殿処理水に対し、活性炭吸着処理が行われるが、活性炭の再生が高額かつ煩雑であり、下水処理への実規模での実施例はない。
このように、活性炭の再生は利便性の面から満足がいくものではないという問題があった。 
【先行技術文献】
【特許文献】
【０００３】
【特許文献１】特開2003-053350号公報
【発明の概要】
【発明が解決しようとする課題】
【０００４】
そこでこの発明は、従来よりも再生が利便性の面から満足のいくものである吸着剤の再生装置を提供しようとするものである。
【課題を解決するための手段】
【０００５】
前記課題を解決するためこの発明では次のような技術的手段を講じている。（１）この発明の吸着剤の再生装置は、吸着剤を再生するため賦活槽を有し、前記賦活槽に送る熱風を循環するようにし、前記賦活槽を回転して吸着剤を後方へと移送すると共に、支持体と賦活槽との回転係合域の径を前記賦活槽の外周径に対して絞ったことを特徴とする。
【０００６】
前記吸着剤として、例えば活性炭を使用することが出来る。前記熱風は、例えばガスを燃焼させるバーナーで生成することが出来る。前記賦活槽内の温度は、例えば850〜1,100℃程度に設定することが出来る。
この吸着剤の再生装置は、吸着剤を再生するため賦活槽を有し、前記賦活槽に送る熱風を循環するようにしたので、エネルギー効率が向上することとなる。
また、前記賦活槽を回転して吸着剤を後方へと移送すると共に、支持体と賦活槽との回転係合域の径を前記賦活槽の外周径に対して絞ったので、支持体と賦活槽との回転係合域から外部に漏洩する熱風の量を軽減して吸着剤の再生のエネルギー効率を向上させることが出来る。
前記回転係合域の係合の態様として、嵌合や摺動を例示することが出来る。
【０００７】
前記賦活槽を回転して吸着剤を後方へと移送する態様として、内壁に案内条が突設された筒状の賦活槽の回転駆動により順次 移送していくことが出来る。
この吸着剤の再生装置では、吸着平衡となったら吸着剤を高温に昇温して再生することが出来ると共に、吸着剤に付着した汚れ成分を熱分解させることが出来る。
吸着剤に付着した汚れ成分として、有機物を主体としたCOD成分、アンモニア性窒素、硝酸態窒素、亜硝酸態窒素などを例示することが出来る。
【０００８】
（２）また、前記賦活槽内を加圧傾向にするようにしてもよい。
このように構成すると、回転係合域から外部の酸素が賦活槽内に流入することにより吸着剤が酸化して消耗することを抑制することが出来る。
（３）更に、前記吸着剤の含水分から蒸発した蒸気により賦活するようにしてもよい。
このように構成すると、吸着剤の含水分を賦活に有効利用することが出来る。含水分の含水率として、湿潤した吸着剤（吸着剤+水分）に対して40〜60重量％が好ましい。
【発明の効果】
【０００９】
この発明は上述のような構成であり、次の効果を有する。 
吸着剤の再生のエネルギー効率を向上させることが出来るので、従来よりも再生が利便性の面から満足のいくものである吸着剤の再生装置を提供することが出来る。 
【図面の簡単な説明】
【００１０】
【図１】この発明の吸着剤の再生装置の実施形態を説明する一部透視断面図。
【発明を実施するための形態】
【００１１】
以下、この発明の実施の形態を図面を参照して説明する。 
図１に示すように、この実施形態の吸着剤の再生装置は、吸着剤（図示せず）を再生するため賦活槽1を有し、前記賦活槽1に送る熱風を循環するようにした。Hは、搬送用のフックである。
吸着剤は図示左側の投入口2から供給し、図示右側の排出口3から取り出して再利用するようにしている。前記吸着剤として活性炭を使用した。
【００１２】
前記熱風は、都市ガスを燃焼させるバーナー（図示せず）で生成するようにした。前記熱風は、図示左側の供給口4から装置内に吹き込むようにしている。装置内の温度は、900℃程度に昇温するように設定した。装置の後方に、熱電対Sを設置している。
熱風は図示右側の排気口5から導出して、熱風の供給口4に吹き込むようにして循環している（熱風の帰還経路は図示省略）。帰還経路中に、耐熱ファンを設置してもよい。
【００１３】
また、前記賦活槽1をモータ(M)により回転駆動して吸着剤を後方へと移送すると共に、支持体6と賦活槽1との回転係合域7の径を前記賦活槽1の外周の径に対して絞った。
前記回転係合域7の係合の態様として、この実施例では摺動ではなく非接触の嵌合を採用した。賦活槽1前後の回転係合（嵌合）域7には、互い違いな非接触の隙間により構成したHEPAフィルターを介在させている。
前記賦活槽1を回転して吸着剤を後方へと移送する態様として、内壁に案内条（図示せず）が突設された筒状の賦活槽1の回転駆動により順次 移送していくようにした。
【００１４】
また、前記賦活槽1内を加圧傾向にしている。更に、前記吸着剤の含水分から蒸発した蒸気により賦活するようにしている。含水分の含水率として、湿潤した吸着剤（吸着剤+水分）に対して約50重量％としている。
なお、吸着剤の燃焼による目減りを抑制するため窒素ガス、炭酸ガス、アルゴンガスなどの不活性ガスを吹き込んで、吸着剤の活性炭の酸化分解（C+O2→CO2）を抑制するようにしてもよい。
【００１５】
次に、この実施形態の吸着剤の再生装置の使用状態を説明する。
この吸着剤の再生装置は、吸着剤を再生するため賦活槽1を有し、前記賦活槽1に送る熱風を循環するようにしたので、エネルギー効率が向上することとなる。
また、前記賦活槽1を回転して吸着剤を後方へと移送すると共に、支持体6と賦活槽1との回転係合域の径を前記賦活槽1の外周径に対して絞ったので、支持体6と賦活槽1との回転係合域7から外部に漏洩する熱風の量を軽減して吸着剤の再生のエネルギー効率を向上させることができ、従来よりも再生が利便性の面から満足のいくものであるという利点を有する。 
更に、前記賦活槽1内を加圧傾向にしており、回転係合域7から外部の酸素が賦活槽1内に流入することにより吸着剤が酸化して消耗することを抑制することが出来るという利点を有する。
【００１６】
そのうえ、前記吸着剤の含水分から蒸発した蒸気により賦活するようにしており、吸着剤の含水分を賦活に有効利用することが出来るという利点を有する。
この吸着剤の再生装置では、吸着平衡となったら吸着剤を高温に昇温して再生することが出来ると共に、吸着剤に付着した汚れ成分を熱分解させることが出来た。吸着剤に付着した汚れ成分として、有機物を主体としたCOD成分、アンモニア性窒素、硝酸態窒素、亜硝酸態窒素などを熱分解した。
【産業上の利用可能性】
【００１７】
従来よりも再生が利便性の面から満足のいくものであることによって、種々の吸着剤の再生装置の用途に適用することができる。
【符号の説明】
【００１８】
１  賦活槽
６  支持体
７  回転係合域
【図１】
2018008245.tif 000003